(57)【要約】【課題】中綴製本装置の供給部において、折丁を確実に次工程に配置可能な中綴製本装置等を提供する。【解決手段】刷本が折り曲げられた折丁２ａを順次搬送経路１０上に落下させて供給する折丁供給ユニット２０を備え、複数の当該折丁２ａが丁合い、中綴じされて製本される中綴製本装置の折丁供給方法であって、落下する当該折丁２ａの両側上面にエアーが吹き付けられるようにエアの吹き出し向きを変えつつ、エアーを常に吹き付ける。【選択図】図６
2014196181.tif 000002
【特許請求の範囲】
【請求項１】
刷本が折り曲げられた折丁を順次搬送経路上に落下させて供給する折丁供給ユニットを備え、複数の当該折丁が丁合い、中綴じされて製本される中綴製本装置の折丁供給方法であって、
落下する当該折丁の両側上面にエアーが吹き付けられるようにエアーの吹き出し向きを変えつつ、エアーを常に吹き付けることを特徴とする中綴製本装置の折丁供給方法。
【請求項２】
刷本が折り曲げられた折丁を順次搬送経路上に落下させて供給する折丁供給ユニットを具備し、複数の当該折丁が丁合い、中綴じされて製本される中綴製本装置の折丁供給ユニットであって、
前記搬送経路上に落下する折丁の両側上面に対してエアーの吹き出し向きを変えつつエアーを常に供給するエアー供給手段を備えていることを特徴とする中綴製本装置の折丁供給ユニット。
【請求項３】
刷本が折り曲げられた折丁を順次搬送経路上に落下させて供給する複数の折丁供給ユニットを具備し、複数の当該折丁が丁合い、中綴じされて製本される中綴製本装置において、
前記折丁供給ユニットは、
前記搬送経路上に落下する折丁の両側上面に対してエアーの吹き出し向きを変えつつエアーを常に供給するエアー供給手段を備えていることを特徴とする中綴製本装置。
【請求項４】
前記エアー供給手段は、
エアーを吹き出すための孔部を有し、当該孔部の向きを変える回転可能な本体を備え、
当該本体は、当該落下する折丁に追随させて回転制御されることを特徴とする請求項３に記載の中綴製本装置。
【発明の詳細な説明】
【技術分野】
【０００１】
本発明は、中綴製本装置、中綴製本装置の折丁供給ユニット、及び中綴製本装置の折丁供給方法に関する。
【背景技術】
【０００２】
従来から知られている中綴製本装置は、中央で２つ折りされた頁の異なる複数の折丁を搬送経路上に順次供給して丁合いした後、その丁合された複数の折丁が綴じ合わされて中綴本を製本する。
【０００３】
この種の中綴製本装置は、個々の折丁を搬送経路上に供給する供給ユニットを複数備えており、各供給ユニットは、２つ折りされた折丁を平積みして載置する載置体と、この載置体に積層される刷本の最下部の折丁を搬送経路上に供給する供給装置と、を備えている（特許文献１参照）。
【０００４】
特許文献１に示す中綴製本装置の供給ユニットは、折丁を回転ドラムの周面に供給して次の工程に供給するものである。
【先行技術文献】
【特許文献】
【０００５】
【特許文献１】特開平１０−３１６２６０号公報
【発明の概要】
【発明が解決しようとする課題】
【０００６】
例えば、特許文献１に示すように回転ドラムを用いて折丁を次工程に供給する際、落下する折丁が回転ドラムの下方に配置された搬送体に上手くかからずに片側に偏って（ズレて）配置されてしまったり、落下してしまったりすることがあり、折丁の供給不良が発生していた。
【０００７】
そこで、本発明は上記問題を課題の一例として為されたもので、中綴製本装置の供給部において、折丁を確実に次工程に配置可能な中綴製本装置等を提供することにある。
【課題を解決するための手段】
【０００８】
上記課題を解決するため、本発明は次のような構成を採用する。
【０００９】
すなわち、請求項１に係る中綴製本装置の折丁供給方法は、刷本が折り曲げられた折丁（２ａ）を順次搬送経路（１０）上に落下させて供給する折丁供給ユニット（２０）を備え、複数の当該折丁が丁合い、中綴じされて製本される中綴製本装置の折丁供給方法であって、落下する当該折丁の両側上面にエアーが吹き付けられるようにエアの吹き出し向きを変えつつ、エアーを常に吹き付けることを特徴とする。
【００１０】
また、請求項２に係る中綴製本装置の折丁供給ユニットは、刷本が折り曲げられた折丁を順次搬送経路上に落下させて供給する折丁供給ユニットを具備し、複数の当該折丁が丁合い、中綴じされて製本される中綴製本装置の折丁供給ユニットであって、前記搬送経路上に落下する折丁の両側上面に対してエアーの吹き出し向きを変えつつエアーを常に供給するエアー供給手段（５０）を備えていることを特徴とする。
【００１１】
また、請求項３に係る中綴製本装置は、刷本が折り曲げられた折丁を順次搬送経路上に落下させて供給する複数の折丁供給ユニットを具備し、複数の当該折丁が丁合い、中綴じされて製本される中綴製本装置において、前記折丁供給ユニットは、前記搬送経路上に落下する折丁の両側上面に対してエアーの吹き出し向きを変えつつエアーを常に供給するエアー供給手段を備えていることを特徴とする。
【００１２】
また、請求項４に係る中綴製本装置は、請求項３に記載の中綴製本装置において、前記エアー供給手段は、エアーを吹き出すための孔部（５２）を有し、当該孔部の向きを変える回転可能な本体（５１）を備え、当該本体は、当該落下する折丁に追随させて回転制御されることを特徴とする。
【発明の効果】
【００１３】
本発明によれば、折丁を確実に搬送チェーンに配置可能であり、折丁の供給不良を抑制可能である。
【図面の簡単な説明】
【００１４】
【図１】中綴本の製造工程を説明するための模式図である。
【図２】折丁供給ユニットの動作を説明するための模式図である。
【図３】折丁供給ユニットの動作を説明するための模式図であり、図３（ａ）は折丁の吸引工程を示す図、図３（ｂ）は折丁の固定工程を示す図、図３（ｃ）は折丁の当て止め工程を示す図、図３（ｄ）は折丁の供給工程を示す図である。
【図４】エアー供給体の外観例を示す模式図である。
【図５】エアー供給体近傍の構成を示す部分拡大図である。
【図６】エアー供給体の動作を説明するための模式図であり、図６（ａ）は、折丁がガイドローラから解放される直前の状態図、図６（ｂ）は折丁が落下中の状態図、図６（ｂ）は折丁が搬送チェーンに配置される直前の状態図である。
【図７】サイズの大きい折丁に対してエアーを一定の方向に吹き付けた場合の状態例を示す模式図であり、図７（ａ）は、落下中の折丁にエアーを吹き付けた状態図、図７（ｂ）は折丁が搬送チェーンに配置された状態例を示す図である。
【図８】サイズの小さい折丁に対してエアーを吹き付けた場合の状態例を示す模式図である。
【発明を実施するための形態】
【００１５】
以下、本発明の最良の実施形態について図面に基づいて説明する。
【００１６】
本実施形態の中綴製本装置（以下、「製本装置」と称する。）の折丁供給方法は、図１及び図２に示すように、丁合部Ｂとして機能する搬送経路１０上に折丁２ａを落下させ、その折丁２ａが開いて供給される折丁供給ユニット２０を備える製本装置において、小口側を下にして落下中の折丁２ａの両側上面にエアーを吹き付けて姿勢を安定させつつ、その折丁２ａが折丁供給ユニット２０から落下して搬送経路１０上に位置決めされるまで常にそのエアーを吹き付けるものであって、この折丁供給方法によって、折丁２ａの搬送経路１０からの跳ね返りや掛け落ち不良を防止して、適正に折丁２ａを搬送経路１０に供給するものである。
【００１７】
ここで、例えば、薄くてサイズの大きい折丁２ａに対して、エアー供給体５０を用いて下向きに一定量のエアーを常時吹き付けた場合には、図７（ａ）に示すように、このエアーがきっかけとなり落下中の小口部分に捲くれが生じ、落下姿勢が安定せず、図７（ｂ）に示すように、片側に偏った（ズレた）状態で供給される場合がある。また、サイズの小さな折丁２ａに対して上述したようにエアーを吹き付けた場合には、エアーがきっかけとなる捲くれが生じ易く、さらにエアーが折丁に届かずに折丁を押さえることができず、図８に示すように、搬送経路から跳ね返り落下する場合がある。
【００１８】
そこで、本実施形態の製本装置の折丁供給方法は、搬送経路１０上に落下する折丁２ａの落下状態に応じて当該折丁２ａの両側上面にエアーが吹き付けられるようにエアーの吹き出し向きを変えつつエアーを常に吹き付けて、常に折丁２ａの両側上面が搬送経路１０側に押圧されるようにするものである。
【００１９】
このような折丁供給方法によれば、どのような折丁であっても、落下姿勢を安定させつつ、確実に搬送経路１０に折丁２ａを配置（供給）することが可能である。
【００２０】
なお、この製本装置により製本される中綴本（冊子）は、図１に示すように、異なる頁として機能する中央で二つ折りされた複数の折丁２ａが、複数の図２に示す折丁供給ユニット２０により搬送経路１０上にその背が係止されるようにして順次供給されて丁合いされ、針金等の綴じ具１２により丁合いされて中綴じされ、三方が断裁装置の刃１５ａ、１５ｂにより断裁されることで揃えられて製本される。
【００２１】
以下、製本装置の具体的な構成について説明する。
【００２２】
本実施形態の製本装置は、図１に示すように、異なる種類（頁）の刷本が中央で折り畳まれた折丁２ａを供給する複数の折丁供給部Ａと、順次、複数の折丁供給部Ａによって供給される複数の折丁２ａを丁合いする丁合部Ｂと、丁合いされた折丁の束２を中綴する中綴部Ｃと、中綴じされた折丁の束２（以下、「冊子Ｓ」と称する。）の大きさを整えるために断裁する断裁部Ｄと、断裁された冊子Ｓを集積する集積部Ｅと、を備えている。
【００２３】
折丁供給部Ａは、図１及び図２に示すように、折丁２ａを丁合部Ｂに供給する折丁供給ユニット２０を複数、備えており、頁毎に異なる絵柄や文字が印刷された折丁２ａを各折丁供給ユニット２０によって丁合部Ｂに順次供給する。
【００２４】
丁合部Ｂは、各折丁供給ユニット２０の近傍を通過するように配置される搬送チェーン１０ａを備え、この搬送チェーン１０ａは搬送経路１０として機能する。丁合部Ｂでは、各折丁供給ユニット２０によって当該搬送チェーン１０ａ上に順次供給された折丁２ａが重ね合わされて丁合いされ、中綴部Ｃへと搬送される。
【００２５】
中綴部Ｃでは、丁合いされた折丁２ａの束が綴じ具１２により中綴じされて冊子Ｓが作られる。
【００２６】
断裁部Ｄでは、この冊子Ｓの天地及び小口の３方が図示しない断裁装置の刃１５ａ、１５ｂにより断裁された後、集積部Ｄに排出されて集積される。
【００２７】
ここで、本実施形態の製本装置の折丁供給部Ａの具体的態様について図２乃至図６を用いて説明する。なお、製本装置を構成するその他各部の構成については従来から公知であるためその具体的な説明等は省略するものとする。
【００２８】
折丁供給部Ａにおける折丁供給ユニット２０は、図２に示すように、複数の折丁２ａを収容する折丁収容部３１と、折丁２ａを丁合部Ｂへと搬送する折丁搬送部３２と、を備えている。
【００２９】
折丁収容部３１は、刷本が中央で折り畳まれた複数の折丁２ａを積層可能な載置体２１を備える。また、この載置体２１の周囲には、少なくともこの載置体２１に載置される折丁２ａの前方及び両側方が位置決めされるようにして囲まれる枠体２３を備える。載置体２１は、折丁２ａの一端側下方に空間を有するようにして配置されており、この空間から最下部の折丁２ａが下方へと引き抜き可能となっている。
【００３０】
折丁搬送部３２は、時計回りに回転駆動する回転ドラム３３と、前記折丁収容部３１に収容されている折丁２ａを吸着して回転ドラム３３の周面に配置する吸着体３５と、前記回転ドラム３３によって回送される折丁２ａの先端部を当て止めするストッパ３７と、回転ドラム３３から落下する折丁２ａを挟持しつつ搬送チェーン１０ａ上に落下させて供給する一対のガイドローラ３９、３９と、小口側を下にしてガイドローラ３９、３９から搬送チェーン１０ａ上に落下する折丁２ａの上面にエアーを吹き付けるエアー供給体５０と、を備えている。
【００３１】
吸着体３５は、吸盤３５ａが装着された支持体３５ｂを備え、この支持体３５ｂが、図中二点鎖線で示すように図示しないフレームに回転可能に取り付けられている。そして、図３（ａ）に示すように、当該吸盤３５ａにより載置体２１に載置された折丁２ａの束の最下部の折丁２ａの背側を吸着させた後、支持体３５ｂを下方へ変位（回転）させ、折丁２ａの背側を回転ドラム３３の周面へと移動する。
【００３２】
回転ドラム３３には、この折丁２ａの先端部を周面との間で挟持するグリッパ３３ａが図中二点鎖線に示すように回転可能に取り付けられており、正又は逆回転によって折丁２ａを挟持、又は解放可能となっている。そして、図３（ｂ）に示すように、折丁２ａの背側の端部を当該グリッパ３３ａにより挟持させ、回転ドラム３３を図中矢印に示すように回転させることで、折丁２ａを収容部２３から引き抜き、回送させる。
【００３３】
折丁２ａは、図３（ｃ）に示すように、回転ドラム３３の上部位置から約３／４回転、回送された後、グリッパ３３ａを図中矢印に示すように回転させることで解放される。このとき、折丁２ａは、ガイド体４１により回転ドラム側へと押圧されつつ回送されており、ストッパ３７に当て止めされることで、回転ドラム３３の下方へと落下する。
【００３４】
次に、折丁２ａは、図３（ｄ）に示すように、並列に配置された一対のガイドローラ３９、３９の間に落下し、双方のガイドローラ３９、３９が、図中矢印に示すように回転することで、刷本２ａが一対のガイドローラ３９、３９によってニップされつつ、搬送チェーン１０ａ上に落下して供給される。なお、搬送チェーン１０ａは、上側が鋭角に形成された断面が略三角形状に形成された基台を備え、折丁２ａの背がその基台の頂部に係止され、その表裏面がその基台の形状に沿うようにして若干拡げられて配置される。
【００３５】
このような折丁供給ユニット２０において、落下する折丁２ａを安定して搬送チェーン１０ａに配置する場合、エアーを折丁２ａに吹き付けることが考えられる。しかしながら、単に、一定の向き・風量でエアーを吹き付けただけでは、このエアーをきっかけとして捲れが生じ、片側に偏った状態で配置されたり、落下したりする等の供給不良が発生する。
【００３６】
そこで、本実施形態の製本装置では、小口側を下にして落下する折丁２ａの位置に応じて当該折丁の両側上面にエアーが吹き付けられるようにエアーの吹き出し向きを変えつつ、エアーを常に吹き付けることで、折丁２ａの落下姿勢が安定し、且つ折丁２ａが搬送チェーン側に常に押圧されて配置されるので供給不良の発生が防止される。
【００３７】
具体的に、本実施形態のエアー供給体５０は、ガイドローラ３９、３９と搬送チェーン１０との間に設けられ、ガイドローラ３９、３９から搬送チェーン１０ａ上に落下する折丁２ａの両側上面にエアーを常に吹き付ける。
【００３８】
このエアー供給体５０は、図２及び図４に示すように、各ガイドローラ３９の下方に配置され筒状に形成された一対の本体５１と、本体５１の長さ方向に所定の間隔を有して均等に配置される孔部５２と、本体５１に供給するためのエアーが蓄積されたエアー供給源５３と、を備え、エアー供給源５３により供給されるエアーが孔部５２を介して外部に吹き出される。エアーの吹き出し量は、本実施形態では規定された一定の量で制御されるが、折丁のサイズや重量等に応じて適宜変更しても構わない。
【００３９】
また、本体５１は、図示しないフレームに図５中矢印に示すように回転可能に設けられており、この回転により孔部５２から吹き出されるエアーの吹き出し向きを適宜変更可能となっている。例えば、本体５１は、折丁２ａの落下速度に追随させて回転制御され、ガイドローラ３９、３９から解放されて搬送チェーン１０ａ上に配置されるまで、常にエアーが折丁２ａの上面に吹き付けられ、折丁２ａの両側上面は搬送経路側に常に押圧されるようになっている。
【００４０】
さらに具体的には、本体５１は、ガイドローラ３９の回転信号に基づいて回転数が制御される。すなわち、ガイドローラ３９の回転信号から折丁２ａの落下速度が演算され、この落下速度に追随するように回転数が算出され、その回転数で制御される。
【００４１】
また、図５に示すように、エアーは、本体５１を図５中の矢印に示す方向に回転することで、落下する折丁２ａの位置に応じて、上方から下方に向かって吹き出されるように制御される。
【００４２】
このような本体５１の回転制御、及びエアーの吹き出し制御は、コントローラ５５によって行われる。コントローラ５５は、演算機能を有するＣＰＵ（Central Processing Unit）、作業用ＲＡＭ、及び各種処理プログラムやデータを記憶するＲＯＭを備えている。このコントローラ５５は、ＲＯＭに記憶された各種処理プログラムを実行することにより、コンピュータとして製本装置の全体を統括制御するものである。
【００４３】
コントローラ５５は、図６（ａ）に示すように、少なくとも折丁２ａの小口側がガイドローラ３９を通過する前に、孔部５２が上方に位置するように本体５１を回転制御するととともにその孔部５２からの吹き出し量を制御する。これにより、ガイドローラ３９を通過した折丁２ａの小口側端部の両側上面には外側からエアーが吹き付けられるため、折丁２ａの内側にエアーが供給されること等による捲れを防止可能である。
【００４４】
次に、図６（ｂ）に示すように、落下する折丁２ａに追随させて、孔部５２が上方から下方へと移動するように本体５１を回転制御するとともに、落下する折丁２ａに対してエアーを吹き付け続ける。これにより、落下する折丁２ａには、一定量のエアーが吹き付けられるためその姿勢が安定し、折丁２ａは搬送チェーン１０ａ上に安定して落下する。
【００４５】
さらに、エアーは、図６（ｃ）に示すように、搬送チェーン１０ａ上に折丁２ａが掛けられる（配置される）まで吹き付けられる。これにより、落下後の折丁２ａを搬送チェーン１０ａ上に押圧することが可能となり、確実に折丁２ａを搬送チェーン１０ａ上に配置することができる。
【００４６】
このように本実施形態の製本装置は、エアー供給体５０によって、小口側を下にして落下する折丁２ａに対して、その落下速度に追随してエアーの向きが変えられながら常に両側上面にエアーが吹き付けられ、さらに、このエアーは、折丁２ａがガイドローラ３９から解放される前から搬送チェーン１０ａ上に配置されるまで常に吹き付けられる。
【００４７】
したがって、落下姿勢が安定するとともに、折丁２ａを確実に搬送チェーン１０ａ上に配置することができる。
【００４８】
なお、本発明は前記実施形態に限定されるものではなく、本発明の要旨の範囲内において種々変更可能である。
【符号の説明】
【００４９】
２ａ  折丁
１０  搬送経路
２０  折丁供給ユニット
５０  エアー供給体
５１  本体
５２  孔部
【図１】
2014196181.tif 000003
【図２】
2014196181.tif 000004
【図３】
2014196181.tif 000005
【図４】
2014196181.tif 000006
【図５】
2014196181.tif 000007
【図６】
2014196181.tif 000008
【図７】
2014196181.tif 000009
【図８】
2014196181.tif 000010